【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
給水通路から導かれた水を加熱し給湯通路に湯を供給する給湯熱交換器と、浴槽に接続されて浴槽湯水を循環ポンプの駆動によって循環する追い焚き循環通路と、該追い焚き循環通路に組み込まれ該追い焚き循環通路を循環する浴槽湯水を加熱する追い焚き熱交換器とを有し、上記給湯熱交換器と追い焚き熱交換器は一体化され、前記給湯熱交換器と追い焚き熱交換器を共通に加熱するバーナーが設けられ、前記給湯熱交換器で作られた湯を給湯通路を通して供給する給湯機能と、循環ポンプの駆動により浴槽湯水を前記追い焚き循環通路の追い焚き熱交換器に通し前記追い焚き熱交換器で加熱し風呂の追い焚き動作を行う追い焚き機能を有する一缶二水路タイプの風呂装置において、給湯熱交換器の湯温を検出する給湯熱交換器湯温検出手段を設け、給湯が行われず追い焚きのみを行う追い焚き単独運転中に該給湯熱交換器湯温検出手段により検出される給湯熱交換器の湯温検出温度がバーナー燃焼を停止させる設定温度以上になったときにはバーナーの燃焼を停止させ、前記検出温度がバーナー燃焼を再開させる設定温度以下になったときにはバーナーの燃焼を再開させる追い焚き単独運転燃焼制御部と、この追い焚き単独運転燃焼制御部の制御による追い焚き単独運転中に前記給湯熱交換器湯温検出手段によって検出される検出温度の時間的な変化のデータと給湯熱交換器内に湯水が存する状態時における追い焚き単独運転中に前記給湯熱交換器湯温検出手段によって検出される給湯熱交換器の湯温の予め与えられる時間的変化のデータである給湯熱交換器湯温情報との比較結果に基づき給湯熱交換器に水がないことを検知する給湯熱交水なし検知手段と、該給湯熱交水なし検知手段によって前記給湯熱交換器内に水がないことが検知されたときには前記追い焚き動作を禁止する追い焚き禁止部とが設けられていることを特徴とする風呂装置。
【請求項２】
給水通路から導かれた水を給湯熱交換器を通して給湯通路に供給する動作が行われた以降は追い焚き禁止部による追い焚き動作の禁止を解除する追い焚き禁止解除部が設けられていることを特徴とする請求項１記載の風呂装置。
【請求項３】
追い焚き循環通路には湯張り用通路が接続されており、該湯張り用通路には給湯通路を介して給湯熱交換器が設けられ、給湯熱交換器で加熱された湯水を湯張り用通路と追い焚き循環通路を通して浴槽に落とし込む湯張り用配管システムが形成されており、該湯張り用配管システムを通して少なくとも循環ポンプの起動を可能とする呼び水動作が行われた以降は追い焚き禁止部による追い焚き動作の禁止を解除する追い焚き禁止解除部が設けられていることを特徴とする請求項１又は請求項２記載の風呂装置。
【請求項４】
追い焚き循環通路には湯張り用通路が接続されており、該湯張り用通路には給湯通路を介して給湯熱交換器が設けられ、給湯熱交換器で加熱された湯水を湯張り用通路と追い焚き循環通路を通して浴槽に落とし込む湯張り用配管システムが形成されており、該湯張り用配管システムを通しての湯張り動作が行われた以降は追い焚き禁止部による追い焚き動作の禁止を解除する追い焚き禁止解除部が設けられていることを特徴とする請求項１乃至請求項３のいずれか１つに記載の風呂装置。
【請求項５】
追い焚き禁止部による追い焚き動作の禁止を解除するための手動の追い焚き禁止解除操作部が設けられ、該追い焚き禁止解除操作部の操作が行われたときは前記追い焚き禁止部による追い焚き動作の禁止を解除する追い焚き禁止解除部が設けられていることを特徴とする請求項１乃至請求項４のいずれか１つに記載の風呂装置。
【請求項６】
追い焚き循環通路には湯張り用通路が接続されており、該湯張り用通路には給湯通路を介して給湯熱交換器が設けられ、給湯熱交換器で加熱された湯水を湯張り用通路と追い焚き循環通路を通して浴槽に落とし込む湯張り用配管システムが形成されており、追い焚き動作は追い焚き指示が与えられたときに循環ポンプを駆動させることにより開始され、該循環ポンプの駆動開始から予め定められた設定時間が経過しても追い焚き循環通路の流れが検知されないときには前記湯張り用配管システムを通して少なくとも前記循環ポンプの起動を可能とする呼び水動作を行うことを特徴とする請求項１乃至請求項５のいずれか１つに記載の風呂装置。
【手続補正２】
【補正対象書類名】明細書
【補正対象項目名】００１８
【補正方法】変更
【補正の内容】
【００１８】
なお、図４に示すような二缶二水路タイプの風呂装置のシステム構成が図３に示した一缶二水路タイプの風呂装置のシステム構成と異なる特徴的なことは、上記のように、追い焚き熱交換器４と給湯熱交換器３とを別個に設け、それぞれ、別個のバーナー２ａ，２ｂによって加熱する構成としたことであり、二缶二水路タイプの風呂装置においても、一缶二水路タイプの風呂装置に設けられている前記燃焼室１、燃焼ファン７、制御装置４０などが設けられてシステムが構成されているが、図４においては、図の簡略化のためにそれらを省略して示してある。
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】変更
【補正の内容】
【００２７】
【課題を解決するための手段】
上記目的を達成するために、本発明は次のような構成をもって課題を解決する手段としている。すなわち、本第１の発明は、給水通路から導かれた水を加熱し給湯通路に湯を供給する給湯熱交換器と、浴槽に接続されて浴槽湯水を循環ポンプの駆動によって循環する追い焚き循環通路と、該追い焚き循環通路に組み込まれ該追い焚き循環通路を循環する浴槽湯水を加熱する追い焚き熱交換器とを有し、上記給湯熱交換器と追い焚き熱交換器は一体化され、前記給湯熱交換器と追い焚き熱交換器を共通に加熱するバーナーが設けられ、前記給湯熱交換器で作られた湯を給湯通路を通して供給する給湯機能と、循環ポンプの駆動により浴槽湯水を前記追い焚き循環通路の追い焚き熱交換器に通し前記追い焚き熱交換器で加熱し風呂の追い焚き動作を行う追い焚き機能を有する一缶二水路タイプの風呂装置において、給湯熱交換器の湯温を検出する給湯熱交換器湯温検出手段を設け、給湯が行われず追い焚きのみを行う追い焚き単独運転中に該給湯熱交換器湯温検出手段により検出される給湯熱交換器の湯温検出温度がバーナー燃焼を停止させる設定温度以上になったときにはバーナーの燃焼を停止させ、前記検出温度がバーナー燃焼を再開させる設定温度以下になったときにはバーナーの燃焼を再開させる追い焚き単独運転燃焼制御部と、この追い焚き単独運転燃焼制御部の制御による追い焚き単独運転中に前記給湯熱交換器湯温検出手段によって検出される検出温度の時間的な変化のデータと給湯熱交換器内に湯水が存する状態時における追い焚き単独運転中に前記給湯熱交換器湯温検出手段によって検出される給湯熱交換器の湯温の予め与えられる時間的変化のデータである給湯熱交換器湯温情報との比較結果に基づき給湯熱交換器に水がないことを検知する給湯熱交水なし検知手段と、該給湯熱交水なし検知手段によって前記給湯熱交換器内に水がないことが検知されたときには前記追い焚き動作を禁止する追い焚き禁止部とが設けられている構成をもって課題を解決するための手段としている。
【手続補正６】
【補正対象書類名】明細書
【補正対象項目名】００２８
【補正方法】変更
【補正の内容】
【００２８】
さらに、本第２の発明は、上記本第１の発明の構成に加え、給水通路から導かれた水を給湯熱交換器を通して給湯通路に供給する動作が行われた以降は追い焚き禁止部による追い焚き動作の禁止を解除する追い焚き禁止解除部が設けられている構成をもって課題を解決するための手段としている。
【手続補正７】
【補正対象書類名】明細書
【補正対象項目名】００２９
【補正方法】変更
【補正の内容】
【００２９】
さらに、本第３の発明は、上記本第１又は第２の発明の構成に加え、追い焚き循環通路には湯張り用通路が接続されており、該湯張り用通路には給湯通路を介して給湯熱交換器が設けられ、給湯熱交換器で加熱された湯水を湯張り用通路と追い焚き循環通路を通して浴槽に落とし込む湯張り用配管システムが形成されており、該湯張り用配管システムを通して少なくとも循環ポンプの起動を可能とする呼び水動作が行われた以降は追い焚き禁止部による追い焚き動作の禁止を解除する追い焚き禁止解除部が設けられている構成をもって課題を解決するための手段としている。
【手続補正８】
【補正対象書類名】明細書
【補正対象項目名】００３０
【補正方法】変更
【補正の内容】
【００３０】
さらに、本第４の発明は、上記本第１の発明乃至本第３の発明の何れか１つの構成に加え、追い焚き循環通路には湯張り用通路が接続されており、該湯張り用通路には給湯通路を介して給湯熱交換器が設けられ、給湯熱交換器で加熱された湯水を湯張り用通路と追い焚き循環通路を通して浴槽に落とし込む湯張り用配管システムが形成されており、該湯張り用配管システムを通しての湯張り動作が行われた以降は追い焚き禁止部による追い焚き動作の禁止を解除する追い焚き禁止解除部が設けられている構成をもって課題を解決するための手段としている。
【手続補正９】
【補正対象書類名】明細書
【補正対象項目名】００３１
【補正方法】変更
【補正の内容】
【００３１】
さらに、本第５の発明は、上記本第１の発明乃至本第４の発明の何れか１つの構成に加え、追い焚き禁止部による追い焚き動作の禁止を解除するための手動の追い焚き禁止解除操作部が設けられ、該追い焚き禁止解除操作部の操作が行われたときは前記追い焚き禁止部による追い焚き動作の禁止を解除する追い焚き禁止解除部が設けられている構成をもって課題を解決するための手段としている。
【手続補正１０】
【補正対象書類名】明細書
【補正対象項目名】００３２
【補正方法】変更
【補正の内容】
【００３２】
さらに、本第６の発明は、本第１の発明乃至本第５の発明の何れか１つの構成に加え、追い焚き循環通路には湯張り用通路が接続されており、該湯張り用通路には給湯通路を介して給湯熱交換器が設けられ、給湯熱交換器で加熱された湯水を湯張り用通路と追い焚き循環通路を通して浴槽に落とし込む湯張り用配管システムが形成されており、追い焚き動作は追い焚き指示が与えられたときに循環ポンプを駆動させることにより開始され、該循環ポンプの駆動開始から予め定められた設定時間が経過しても追い焚き循環通路の流れが検知されないときには前記湯張り用配管システムを通して少なくとも前記循環ポンプの起動を可能とする呼び水動作を行うことを特徴として構成されている。
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】変更
【補正の内容】
【００３５】
【発明の実施の形態】
以下、本発明の実施の形態を図面に基づいて説明する。なお、本実施形態例の説明において、図３の風呂装置と同一名称部分には同一符号を付し、その重複説明は省略する。本実施形態例の風呂装置は、図３に示したような一缶二水路タイプの風呂装置であり、本実施形態例では、図３に示す風呂装置において、給湯熱交換器３の湯温を検出する給湯熱交換器湯温検出手段としての給湯熱交湯温センサ３３を、図の破線に示すように、給湯熱交換器３のＵ字管に設けて構成している。また、本実施形態例では、図１に示すような特有な制御構成を有している。
【手続補正１４】
【補正対象書類名】明細書
【補正対象項目名】００３９
【補正方法】変更
【補正の内容】
【００３９】
データ格納部４４には、バーナー燃焼を停止させる設定温度としてのオフ温度とバーナー燃焼を再開させる設定温度としてのオン温度が予め定められて格納されている。上記オフ温度は、例えば追い焚き単独運転中に給湯熱交換器３のピーク温度領域の滞留湯が沸騰に近い状態であることを示す予め定めた湯温（例えば、９０℃）である。上記オン温度は、上記オフ温度よりも予め定めた温度（例えば、３℃）分だけ低下させた湯温である。
【手続補正１５】
【補正対象書類名】明細書
【補正対象項目名】００６５
【補正方法】変更
【補正の内容】
【００６５】
なお、本発明は上記実施形態例に限定されることはなく、様々な実施の態様を採り得る。
【手続補正１６】
【補正対象書類名】明細書
【補正対象項目名】００６６
【補正方法】削除
【補正の内容】
【手続補正１７】
【補正対象書類名】明細書
【補正対象項目名】００６７
【補正方法】変更
【補正の内容】
【００６７】
例えば、上記実施形態例では、追い焚き禁止操作部５１を制御装置４２に設けたが、追い焚き禁止操作部５１はリモコン４１に設けてもよい。また、追い焚き禁止操作部５１は省略することもできる。ただし、追い焚き禁止操作部５１を設けると、必要に応じて、任意に追い焚き禁止部５０による追い焚き動作禁止を操作することができる。
【手続補正１８】
【補正対象書類名】明細書
【補正対象項目名】００７６
【補正方法】変更
【補正の内容】
【００７６】
さらに、上記実施形態例では、図３に示した構成の一缶二水路タイプの風呂装置を例にして説明したが、本発明は、必ずしも図３に示したシステム構成を備えた一缶二水路タイプの風呂装置に適用するとは限らず、給湯機能と追い焚き機能を備えている一缶二水路タイプの風呂装置に適用できるものである。
【手続補正１９】
【補正対象書類名】明細書
【補正対象項目名】００７７
【補正方法】削除
【補正の内容】
【手続補正２０】
【補正対象書類名】明細書
【補正対象項目名】００７８
【補正方法】削除
【補正の内容】
【手続補正２１】
【補正対象書類名】明細書
【補正対象項目名】００７９
【補正方法】削除
【補正の内容】
【手続補正２２】
【補正対象書類名】明細書
【補正対象項目名】００８０
【補正方法】変更
【補正の内容】
【００８０】
【発明の効果】
本発明によれば、一缶二水路タイプの風呂装置において、追い焚き単独運転中に給湯熱交換器内に水がないことを検知する給湯熱交水なし検知手段を設け、給湯熱交水なし検知手段によって給湯熱交換器内に水がないことを検知したときには、追い焚き禁止部によって追い焚き動作を禁止するようにしたので、追い焚き単独運転中の給湯熱交換器の空焚きを防ぐことが可能となり、安全な一缶二水路タイプの風呂装置とすることができる。